(57)【特許請求の範囲】
【請求項１】
内部磁気シールド（１８）と該シールドに取り付けられる少なくとも１つの接触スプリング（２８）とを有する陰極線管（１０）であって、
該シールドは外側縁（３６）及び内側縁（３５）を有するランド（３１）を含み、
該スプリングは２つの部分、即ち該ランドにおいてシールドに取り付けられる留め金部（４２）と接触ばね板部（４４）とを含み、該留め金部は、第１の端に折返し曲げフック（４６）を有し該第１の端とは反対の端にラッチ（４８）を有する平坦な主要部（４１）を含み、該フックは該ランドの外側縁に係合し、該ラッチは該ランドの内側縁に係合し、該ばね板部は該ラッチに接続され該ラッチから延在する陰極線管（１０）。
【請求項２】
該フック及び該ラッチは夫々該留め金部の該平坦な主要部に対して鋭角を成す、請求項１記載の陰極線管。
【請求項３】
該ばね板部は２つの分けられた平行なアーム（５０，５２）を含み、各アームはその端に接触面（５４，５６）を有する、請求項１記載の陰極線管。
【請求項４】
該ばね板部は該陰極線管の内面（２０）に接触し、該ラッチに対して閉じる力を印加する、請求項１記載の陰極線管。
【請求項５】
内部磁気シールド（１８）と該シールドに取り付けられた少なくとも１つの接触スプリング（２８）とを有する陰極線管（１０）であって、
該シールドは外側縁（３６）及び内側縁（３５）を有するランド（３１）を含み、
該スプリングは２つの部分、即ち該ランドにおいてシールドに取り付けられる留め金部（４２）と接触ばね板部（４４）とを含み、該留め金部は、第１の端に折返し曲げフック（４６）を有し該第１の端とは反対の端にラッチ（４８）を有する平坦な主要部（４１）を含み、該フックは該ランドの外側縁に係合し、該ラッチは該ランドの内側縁に係合し、該ばね板部は該ラッチに接続され該ラッチから延在し、該ばね板部は２つの分かれた平行なアーム（５０，５２）を含み、各アームはその端に該陰極線管の内面（２０）に接触し該ラッチに対して閉じる力を印加する接触面（５４，５６）を有する、陰極線管（１０）。
【発明の詳細な説明】
【０００１】
【発明の属する技術分野】
本発明は少なくとも１つの接触スプリングが取り付けられた内部磁気シールドを有する陰極線管に関する。
【０００２】
【従来の技術】
カラー陰極線管（ＣＲＴ）は典型的に、電子ビーム軌道に対する磁場の影響を減少するためにファンネル内に配置される内部磁気シールドを有する。シールドは通常は冷間圧延鋼で形成され、シャドウマスク枠に固定される。柔軟な接触スプリングは管のファンネルの内面上の導電性被覆と電気的接触を確立するようシールド又は枠に取り付けられることがある。しかしながら、溶接方法はしばしば管の中に望ましくない浮いた粒子をもたらす。
【０００３】
枠又は内部磁気シールドのいずれかに接触スプリングを溶接することに関する問題を克服するために幾つかの改善が提案されている。例えば、１９８２年１月１２日にPenird外に対して交付された米国特許第４，３１０，７７９号、及び１９８４年２月２１日にKuryla外に対して交付された米国特許第４，４３３，２６７号は、磁気シールドの後端に形成された溝に嵌合する回り込みクリップを含む接触スプリングを開示する。１９９２年６月３０日にJiに対して交付された米国特許第５，１２６，６２４号は、シャドウマスク枠の孔の中に嵌入する三角形ヘッドを含む接触スプリングを開示する。１９８７年６月２日にMuenkel 外に対して交付された米国特許第４，６７０，６８６号は、ばね板タブと、内部磁気シールドの中に２つの対向するスロットの中へ挿入される補強構造とを有するスプリングを開示する。
【０００４】
【発明が解決しようとする課題】
上述の接触スプリングの夫々は１つ以上の欠点を含む。より単純なものは、緩く動作するか又はあまりにも動き回り、より複雑なものは製造するのに費用がかかる。従って、挿入するのが容易で動き回らない簡単な設計を有する接触スプリングが必要とされる。
【０００５】
【課題を解決するための手段】
陰極線管は、内部磁気シールドと、シールドに取り付けられた少なくとも１つの接触スプリングとを有する。改善点として、シールドは外側縁及び内側縁を有するランドを有する。スプリングは２つの部分、即ちランドにおいてシールドに取り付けられる留め金部と接触ばね板部とを有する。留め金部は、第１の端に折返し曲げフックを、第１の端と反対の端にラッチを有する平坦な主要部を含む。フックはランドの外側縁に係合し、ラッチはランドの内側縁に係合する。ばね板部はラッチに接続されラッチから延在する。
【０００６】
【発明の実施の形態】
図１及び図２は、フェースプレートパネル１２の縁１６に沿って陰極線管１０のファンネル１４にシールされたフェースプレートパネル１２を有する陰極線管１０を示す図である。管１０は、ファンネル１４の内面の近傍に管の中に配置される内部磁気シールド１８を有する。磁気シールド１８は、フェースプレートパネル１２から内向きに延びる取付スタッド２４によって支持されるシャドウマスク枠２２に固定される。ファンネル１４の内面２０は、面２０に沿って縁１６から所定の距離まで延在する導電性被覆２６を有する。この導電性被覆２６は、管の正の陽極として作用する黒鉛被覆を含む。１対の接触スプリング２８は、シールド１８と導電性被覆２６との間の電気接触を生ずるため内部磁気シールド１８の後部３０に取り付けられる。
【０００７】
図３及び図４は、内部磁気シールド１８の後部３０の一部であってスプリング場所である部分を示す図である。後部３０の一部は、ステップライザ３２によってシールドの延長から上昇されたランド３１を有する。スプリング場所において、ステップライザ３２は細長い開口３４を有し、それによりランド３１はこの場所において外側縁３６とともに内側縁３５を有する。ランド３１の外側縁３６はスプリング場所においてノッチ３８を有し、ランド３１はまたランド３１の内側縁及び外側縁に平行な補強ビード４０を含む。
【０００８】
図５及び図６は、２つの部分、即ち留め金部４２及び接触ばね板部４４を有する接触スプリング２８を示す図である。留め金部４２は、接触スプリング２８の内部磁気シールド１８に対する取付けを与え、接触ばね板４４は、管の内面上の内部導電性被覆２６に対する接触を与えるため留め金部４２から片持ち式にされる。留め金部４２は、夫々が主要部４１に対して鋭角を成す２つの部分、即ち、折返し曲げフック４６と、留め金部４２の近い端におけるラッチ４８と、を隔てる平坦な主要部４１を含む。ばね板４４はラッチ４８から延び、２つの分けられた平行なアーム５０及び５２を含み、アームは夫々その遠い端に丸みのある接触面５４及び５６を有する。
【０００９】
図７及び図８は、内部磁気シールド１８に接続される接触スプリング２８を示す図である。フック４６は、ノッチ３８においてシールド１８のランド３１の外側縁に係合し、ラッチ４８は開口３４においてシールド１８のランド３１の内側縁３５に係合する。スプリング２８の設置中、フック４６は最初に配置され、スプリングを回転するためのピボットとして作用し、それによりラッチ４８は開口３４に入り、シールド１８のランド３１の内側縁３５に係合する。
【００１０】
接触スプリングの留め金部４２とシールドの後部３０との相互作用は、接触ばね板部４４がファンネル１４の内壁上の導電性被覆２６に接触する場合にセルフタイトニング特徴を与える。両方のスプリング２８の接触ばね板部４４がファンネルの内部に接触すると、これらはシールド１８へ向かって偏向し、留め金部４２をシールドのランドの内側縁３５及び外側縁３６の周りに更に閉じるようにする。
【００１１】
【発明の効果】
本発明の接触スプリングは、従来の接触スプリングよりも設計が簡単で設置が容易である。更に、本発明の接触スプリングは多くの従来の接触スプリングの設置によって生ずる部分の間の削り取りをなくす。
【図面の簡単な説明】
【図１】陰極線管の中の内部磁気シールドに取り付けられた１対の接触スプリングを示す陰極線管の前面部を示す断面図である。
【図２】図１の線２−２に沿って見た断面図を示す図である。
【図３】スプリング場所における図１の内部磁気シールドの一部を示す平面図である。
【図４】図３の線４−４に沿って見た断面図を示す図である。
【図５】図１の接触スプリングの底面図を示す図である。
【図６】図５の線６−６に沿って見た断面図を示す図である。
【図７】接触スプリングを取り付けられた内部磁気シールドの一部の平面図を示す図である。
【図８】図７の線８−８に沿って見た断面図を示す図である。
【符号の説明】
１０  陰極線管
１２  フェースプレートパネル
１４  ファンネル
１６  縁
１８  磁気シールド
２０  内面
２２  シャドウマスク枠
２４  取付スタッド
２６  導電性被膜
２８  接触スプリング
３０  後部
３１  ランド
３２  ステップライザ
３４  開口
３５  内側縁
３６  外側縁
３８  ノッチ
４０  補強ビード
４２  留め金部
４４  接触ばね板
４６  繰返し曲げフック
４８  ラッチ
５０，５２  アーム
５４，５６  接触面
【図１】
0003704259.tif 000002
【図２】
0003704259.tif 000003
【図３】
0003704259.tif 000004
【図４】
0003704259.tif 000005
【図５】
0003704259.tif 000006
【図６】
0003704259.tif 000007
【図７】
0003704259.tif 000008
【図８】
0003704259.tif 000009